(57)【特許請求の範囲】
【請求項１】
箱体の内部に外気側ファンと、内気側ファンと、熱交換素子とを設け、
この箱体には、発熱体収納箱に連通した内気吸込口、内気吹出口と、
外気に連通した外気吸込口、外気吐出口とを備え、
前記外気側ファンと前記内気側ファンは、同一の回転軸上に設けられ、
この回転軸は、前記熱交換素子の積層方向と平行かつ内気の吹出方向と直交するように配置した発熱体収納箱冷却装置。
【請求項２】
外気温度の高い時に発熱体収納箱を補助冷却する空気冷却機を備えた請求項１記載の発熱体収納箱冷却装置。
【請求項３】
内気吸込口と内気吹出口の形状を丸孔とし、発熱体収納箱冷却装置の箱体に配置したことを特徴とする請求項１または２に記載の発熱体収納箱冷却装置。
【請求項４】
内気吸込口と内気吹出口にフランジを設けた請求項３記載の発熱体収納箱冷却装置。
【請求項５】
熱交換素子の伝熱板を非透湿性とした請求項１〜４のいずれか一つに記載の発熱体収納箱冷却装置。
【請求項６】
発熱体収納箱のパネルに設置された冷却装置を外気温度によって発停制御をするようにした請求項２記載の発熱体収納箱冷却装置の制御方法。
【発明の詳細な説明】
【技術分野】
【０００１】
本発明は、屋外に設置される箱体構造物で、冷却装置を設置するスペースが限られており、内部に発熱体を有し、その発熱量が多く冬季においても冷却を要し、また、温度、湿度、粉塵などが電子部品の性能、寿命に影響を与えるような精密な制御基板を有する箱に関し、特にその冷却装置と制御方法に関するものである。
【背景技術】
【０００２】
近年、電子部品の高性能化と制御基板に対する電子部品の高密度化が進み、制御基板からの発熱量は飛躍的に増加している。これに伴い、箱内の温度は上昇する傾向にあり、制御基板上にある電子部品の動作保証、製品寿命は箱内の温度に大きな影響を受ける。このため、箱内の温度を一定以下に冷却しなければ信頼性の確保が出来なくなってきている。
【０００３】
また、電子部品の精密化によって箱内の空気中の水分、粉塵を除去することも重要な要素となってきている。
【０００４】
従来、この種の箱を冷却する場合には、室内機を箱内に設置して、冷媒配管で箱外の室外機につなぐという方法があり、図７に示したものなどが一般的であった。
【０００５】
以下、その発熱体収納箱冷却装置について図７を参照しながら説明する。
【０００６】
図に示すように、箱１０１の内部には、熱負荷を発生する制御基板１０２と、室内機１０３と、箱１０１の内部の空気温度を検知し室内機１０３に信号を送る温度センサー１０４と、電源１０５が設置されている。
【０００７】
箱１０１の外部には、室外機１０６が設置され、冷媒配管１０７で室内機１０３とつながっている。
【０００８】
上記構成において、制御基板１０２を運転させると、その発熱のため、箱１０１の内部の温度は徐々に上昇してくる。
【０００９】
そこで温度センサー１０４の検知した温度が設定してある温度を超えると運転信号が発生し室内機１０３が運転を開始し、箱１０１の内部の温度が低下するとともに、温度センサー１０４の検知した温度が設定してある温度以下になると停止信号が発生し室内機１０３が停止する。
【００１０】
以上の動作を繰り返しながら箱１０１の内部の温度はある一定範囲を保持するようになっていた。
【発明の開示】
【発明が解決しようとする課題】
【００１１】
このような従来の発熱体収納箱冷却装置では、周囲を断熱材で密閉している関係上、放熱がないため、冬季など外気温度が低い場合でも、必ず冷却装置を運転させねばならず、大量の冷却エネルギーを消費している。
【００１２】
本発明は、このような従来の課題を解決するものであり、発熱体収納箱のパネルに冷却装置を設置することによって、外気温度が低い時に外気と箱内の空気とで熱交換を行うことで箱内の空気が冷却されることから、既設の冷却装置の運転時間が減少し、省エネとなる。
【００１３】
また、パネルに外付けするため、発熱体収納箱内のスペースをとらず、既設の発熱体収納箱に対する施工が容易である。
【００１４】
本発明は、このような省エネルギーかつ施工性の良好な発熱体収納箱冷却装置を提供することを目的としている。
【課題を解決するための手段】
【００１５】
上記課題を解決するための本発明における発熱体収納箱冷却装置の一つの手段は、箱体の内部に外気側ファンと、内気側ファンと、熱交換素子とを設け、この箱体には、発熱体収納箱に連通した内気吸込口、内気吹出口と、外気に連通した外気吸込口、外気吐出口とを備え、前記外気側ファンと前記内気側ファンは、同一の回転軸上に設けられ、この回転軸は、前記熱交換素子の積層方向と平行かつ内気の吹出方向と直交するように配置したものである。
【００１６】
そして本発明によれば上記手段により、発熱体収納箱冷却装置の箱体を薄く小さくすることができ、施工も容易となる。
【発明の効果】
【００１７】
以上のように本発明によれば、送風機の回転軸が前記熱交換素子の積層方向と平行かつ内気の吹出方向と直交するような配置形態により発熱体収納箱冷却装置の箱体を薄く小さくすることから冷却装置を設置する際の施工が容易となる。
【００１８】
また、外気温度の高い時に発熱体収納箱を補助冷却する空気冷却機を備えたため、外気温度が低い時は省エネ運用をしながら、外気温度が高い時の冷却必要量の増加にも対応することができる。
【００１９】
また、内気吸込口と内気吹出口の形状を丸孔とし、発熱体収納箱冷却装置の箱体に配置したものであり、発熱体収納箱冷却装置の設置の際に、箱のパネルに開口部を設ける加工が容易になるという作用を有する。
【００２０】
また、内気吸込口と内気吹出口にフランジを設けており、発熱体収納箱のパネルが厚いときにも、容易な施工で気密性を確保できる。
【００２１】
また、熱交換素子の伝熱板を非透湿性としたため、発熱体収納箱内部の機器への結露などによる水分の悪影響が発生しないという作用を有する。
【００２２】
また、外気温度が低い時に空気冷却機の運転を停止し、熱交換を行い、外気温度が高い時は熱交換をせずに空気冷却機を運転する制御により、熱交換による余分なエネルギーの消費、不要な冷凍機の運転をしないようにすることで、省エネルギーを実現することができる。
【発明を実施するための最良の形態】
【００２３】
本発明の請求項１に記載の発明は、箱体の内部に外気側ファンと、内気側ファンと、熱交換素子とを設け、この箱体には、発熱体収納箱に連通した内気吸込口、内気吹出口と、外気に連通した外気吸込口、外気吐出口とを備え、前記外気側ファンと前記内気側ファン
は、同一の回転軸上に設けられ、この回転軸は、前記熱交換素子の積層方向と平行かつ内気の吹出方向と直交するように配置した発熱体収納箱冷却装置であり、この配置形態により発熱体収納箱冷却装置の箱体を薄く小さくすることから冷却装置を設置する際の施工が容易にできるという作用を有する。
【００２４】
また、他の発明は、外気温度の高い時に発熱体収納箱を補助冷却する空気冷却機を備えたものであり、外気温度が低い時は省エネ運用をしながら、外気温度が高い時の冷却必要量の増加にも対応することができるという作用を有する。
【００２５】
また、他の発明は、内気吸込口と内気吹出口の形状を丸孔とし、発熱体収納箱冷却装置の箱体に配置したものであり、発熱体収納箱冷却装置の設置の際に、箱のパネルに開口部を設ける加工が容易になるという作用を有する。
【００２６】
また、他の発明は、内気吸込口と内気吹出口にフランジを設けており、発熱体収納箱のパネルが厚いときにも、容易な施工で気密性を確保できるという作用を有する。
【００２７】
また、他の発明は、熱交換素子の伝熱板を非透湿性としており、外気に含まれる水分が発熱体収納箱の内部に混入することがなく、発熱体収納箱内部の機器への結露などによる水分の悪影響が発生しないという作用を有する。
【００２８】
また、他の発明は、外気温度が低い時に空気冷却機の運転を停止し、熱交換を行い、外気温度が高い時は熱交換をせずに空気冷却機を運転する制御により、熱交換による余分なエネルギーの消費、不要な冷凍機の運転をしないようにすることで、省エネルギーになるという作用を有する。
【実施例】
【００２９】
以下、本発明の実施例について添付図面を参照しながら説明する。
【００３０】
（実施例１）
図１、図２は本願発明における発熱体収納箱冷却装置の基本構成ともいえる実施例１を示したものである。
【００３１】
発熱体収納箱冷却装置の箱体１は発熱体収納箱のパネルの外郭に取り付けられ、所謂る「外付け」装着にて構成されている。
【００３２】
以下、その内部構成について説明する。
【００３３】
発熱体収納箱内の空気（以下、これを内気と称する）は内気吸込口２より送風機３の内気側ファン３Ａに取込まれたのち、熱交換素子４を通過して、また発熱体収納箱内に戻る循環させる内気風路５を形成している。
【００３４】
一方、外気吸込口６より外気を取込み、熱交換素子４、送風機の外気側ファン３Ｂ、外気吹出口８を介して、また外気に排出する外気風路９を形成している。
【００３５】
これら両風路が独立するよう相互の風路を略気密状態に仕切るための仕切板１０が設置され、また外気風路９と内気風路５の交点には外気と内気の顕熱を交換する熱交換素子４が配置されている。
【００３６】
上記構成により、発熱体収納箱冷却装置は、外気温度の低い時に外気を取り入れ、発熱体収納箱内部の暖かい空気との間で熱交換素子４にて熱交換をおこない、暖かくなった外気は排気し、冷たくなった空気を箱内に給気する。
【００３７】
これにより既設の冷却装置の運転を最小限に抑えて箱内温度を低くすることができ、省エネが可能となる。
【００３８】
また、外気風路９、内気風路５が仕切板１０により独立していることから、外気と発熱体収納箱内部の空気は混合しないため、外気に含まれる粉塵が発熱体収納箱の内部に混入することがなく、発熱体収納箱内部の機器への粉塵による悪影響も発生しない。
【００３９】
図２に示すように、発熱体収納箱冷却装置を形成する箱体１の壁の一面に発熱体収納箱に連通した内気吸込口２と内気吹出口１１とを備え、他の面に外気と連通し設けられた外気吸込口６と外気吹出口８とを備えており、この箱体１内に送風機と熱交換素子４を、送風機３の回転軸３Ｃが熱交換素子４の長手方向（積層方向）と平行かつ内気の吹出方向と直交するように配置している。
【００４０】
上記配置から、冷たい外気を発熱体収納箱冷却装置の下方の外気吸込口６から吸い込み、熱交換素子４、送風機３の外気側ファン３Ｂを介して上方に設けた外気吹出口８より吹き出すとともに、発熱体収納箱からの加熱された空気を上方の内気吸込口２から吸い込み、熱交換素子４、送風機３の内気側ファン３Ａを介して下方に設けた内気吹出口１１より内気、外気の熱交換を行ないながら吹き出すことができる。
【００４１】
また、送風機３の回転軸３Ｃと熱交換素子４の長手方向を水平方向にして、発熱体収納箱冷却装置の箱体１中央に送風機３と熱交換素子を配置できる。これにより、スペース効率良く熱交換を行うことができ、また、発熱体収納箱冷却装置の箱体１を薄く小さくすることから冷却装置を設置する際の施工を容易にすることができる。
【００４２】
（実施例２）
図３は本願発明における発熱体収納箱冷却装置の実施例２を示したものである。
【００４３】
本実施例は上記実施例に加えて、外気温度の高い時に発熱体収納箱を補助冷却する空気冷却機１２を備えたものである。
【００４４】
夏季などの外気温度が高い時には、熱交換素子４による熱交換を制限しながら運転停止し、一方、空気冷却機１２を運転して発熱体収納箱を補助冷却する。
【００４５】
これにより、外気温度が低い時の省エネ運用をしながら、外気温度が高い時の冷却必要量の増加に対応することができる。
【００４６】
なお、本実施例では補助冷却という説明を用いたが、中間期などでは補助ではなく主冷却になることもあり、発熱体収納箱の発熱量があまり高くないときには主冷却とすることも可能であることはいうまでもない。
【００４７】
（実施例３）
図４は本願発明における発熱体収納箱冷却装置の実施例３を示したものである。
【００４８】
内気吸込口２と内気吹出口１１の形状を丸孔とし、発熱体収納箱冷却装置の箱体１に配置したものである。
【００４９】
一般的に発熱体収納箱の外郭はアルミハニカム構造やアルミによる断熱材サンドイッチ構造が多く、比較的簡単な工具を用いて加工が可能なことが多い。
【００５０】
本実施例は上記各実施例に加えて、内気吸込口２と内気吹出口１１の孔形状が円形としたため、その結果、発熱体収納箱冷却装置の設置の際に、箱のパネルに開口部を設ける加工が非常に容易となる。
【００５１】
（実施例４）
図５は本願発明における発熱体収納箱冷却装置の実施例４を示したものである。
【００５２】
本実施例は上記実施例の構成に加えて、内気吸込口２と内気吹出口１１にフランジ１３を設けたものである。
【００５３】
これにより、発熱体収納箱を形成する外装パネルが厚いときにも、容易な施工で気密性を確保できる。
【００５４】
（実施例５）
熱交換素子４の伝熱板を非透湿性（図示せず）とした。
【００５５】
これにより、外気に含まれる水分が発熱体収納箱の内部に混入することがなく、発熱体収納箱内部の機器への結露などによる水分の悪影響が発生しない。
【００５６】
（実施例６）
図６は本願発明における発熱体収納箱冷却装置の実施例６を示したものである。
【００５７】
外気温度を測定することにより、外気温度が低い時には空気冷却機１２の運転を停止し、熱交換を行う。
【００５８】
また、外気温度が高い時は熱交換をせずに空気冷却機１２を運転する。
【００５９】
このような制御をおこなうことにより、熱交換による余分なエネルギーの消費、空気冷却機１２の不要な運転をしないようにすることで、省エネルギーを実現できる。
【図面の簡単な説明】
【００６０】
【図１】本発明の実施例１による発熱体収納箱冷却装置の構造を示した概略断面図
【図２】同実施例１の発熱体収納箱冷却装置を示した透視構造図
【図３】同実施例２の発熱体収納箱冷却装置を示した透視構造図
【図４】同実施例３の発熱体収納箱冷却装置を示した斜視構造図
【図５】同実施例４の発熱体収納箱冷却装置を示した斜視構造図
【図６】同実施例６の発熱体収納箱冷却装置の制御フローを示した図
【図７】従来の発熱体収納箱冷却装置の構造を示す概略断面図
【符号の説明】
【００６１】
１    箱体
２    内気吸込口
３    送風機
３Ａ  内気側ファン
３Ｂ  外気側ファン
３Ｃ  回転軸
４    熱交換素子
５    内気風路
６    外気吸込口
８    外気吹出口
９    外気風路
１０  仕切板
１１  内気吹出口
１２  空気冷却機
１３  フランジ
【図１】
0004607218.tif 000002
【図２】
0004607218.tif 000003
【図３】
0004607218.tif 000004
【図４】
0004607218.tif 000005
【図５】
0004607218.tif 000006
【図６】
0004607218.tif 000007
【図７】
0004607218.tif 000008